(57)【特許請求の範囲】
【請求項１】
音声情報および画像情報の少なくとも一方を再生するとともに、前記音声情報および前記画像情報の両方を再生する際には、前記音声情報および前記画像情報を、それぞれ単独で、または、互いに関連付けて再生する再生部と、
前記再生部に対するユーザ操作を受け付ける第１の操作部と、
前記第１の操作部に、前記音声情報の再生または停止に関する前記ユーザ操作を受け付ける機能が設定されていない状態において、前記音声情報を再生または停止する前記ユーザ操作を受け付ける第２の操作部と
を備えたことを特徴とする再生装置。
【請求項２】
請求項１に記載の再生装置において、
前記第２の操作部は、前記音声情報を再生する前記ユーザ操作と、前記音声情報を停止する前記ユーザ操作との両方を受け付ける単一の操作部材を有する
ことを特徴とする再生装置。
【請求項３】
請求項１に記載の再生装置において、
前記再生部が、予め互いに関連付けられた前記画像情報および前記音声情報を、互いに関連付けて再生している場合には、前記第２の操作部による前記ユーザ操作を無効とする制御部を備える
ことを特徴とする再生装置。
【請求項４】
請求項１に記載の再生装置において、
前記第１の操作部は、複数の階層からなる予め定められたメニューにしたがって、前記ユーザ操作を受け付けるとともに、前記第１の操作部には、前記メニューに関する前記ユーザ操作を受け付ける機能が設定され、
前記第２の操作部は、前記メニューおよび前記第１の操作部に設定されている機能にかかわらずに、前記音声情報を再生または停止する前記ユーザ操作を優先的に受け付ける
ことを特徴とする再生装置。
【請求項５】
音声情報および画像情報の少なくとも一方を再生するとともに、前記音声情報および前記画像情報の両方を再生する際には、前記音声情報および前記画像情報を、それぞれ単独で、または、互いに関連付けて再生する再生部と、
前記再生部に対するユーザ操作を受け付ける第１の操作部と、
前記再生装置を操作させる動作モードとして、前記第１の操作部に設定される機能が異なる動作モードを少なくとも２種類有し、前記動作モードに応じて前記再生部を制御する制御部と、
前記第１の操作部に、前記音声情報の再生または停止に関する前記ユーザ操作を受け付ける機能が設定されていない状態において、前記動作モードを変更する前記ユーザ操作を受け付ける第２の操作部とを備え、
前記制御部は、前記第２の操作部により前記ユーザ操作を受け付けると、前記音声情報を少なくとも再生または停止する前記ユーザ操作を受け付ける前記動作モードを選択する
ことを特徴とする再生装置。
【請求項６】
請求項５に記載の再生装置において、
前記制御部は、前記第２の操作部により前記ユーザ操作を受け付けた際の前記再生部による再生状態に応じて、前記再生装置を操作させる前記動作モードを選択する
ことを特徴とする再生装置。
【請求項７】
請求項５に記載の再生装置において、
前記制御部は、前記再生部が、予め互いに関連付けられた前記画像情報および前記音声情報を、互いに関連付けて再生している場合には、前記第２の操作部による前記ユーザ操作を無効とする
ことを特徴とする再生装置。
【請求項８】
請求項５に記載の再生装置において、
前記第１の操作部は、複数の階層からなる予め定められたメニューにしたがって、前記ユーザ操作を受け付けるとともに、前記第１の操作部には、前記メニューに関する前記ユーザ操作を受け付ける機能が設定され、
前記第２の操作部は、前記メニューおよび前記第１の操作部に設定されている機能にかかわらずに、前記動作モードを変更する前記ユーザ操作を優先的に受け付ける
ことを特徴とする再生装置。
【発明の詳細な説明】
【技術分野】
【０００１】
本発明は、画像情報を表示する表示部と、音声情報を再生する再生部とを備えた再生装置に関するものである。
【背景技術】
【０００２】
近年、画像情報の表示と音声情報の再生との双方を行う小型の再生装置がある（例えば、アップルコンピュータ株式会社製「ｉｐｏｄ」（http://www.apple.com/jp/ipod/ipod.html）など）。このような再生装置では、小型の表示部と限られた数の操作部材を用いて多岐にわたる操作を行うために、表示部を用いたメニュー画面などを利用し、複数の階層からなるメニューにしたがって各種操作を行っている。
【発明の開示】
【発明が解決しようとする課題】
【０００３】
上述した小型の再生装置では、メニューが複数の階層からなるため、操作が煩雑になるという問題がある。例えば、表示部を用いて動画像を表示中に音声情報を再生する場合には、一旦動画像の表示を中断して上層のメニューのメニュー画面を表示し、その後音声情報の再生に関するメニューのメニュー画面を表示して音声情報の再生のための操作を行う必要がある。
【０００４】
本発明の再生装置は、表示部に画像情報やメニュー画面を表示している最中に、その表示を中断せずに音声情報に関する操作を実現可能とすることを目的とする。
【課題を解決するための手段】
【０００５】
本発明の再生装置は、音声情報および画像情報の少なくとも一方を再生するとともに、前記音声情報および前記画像情報の両方を再生する際には、前記音声情報および前記画像情報を、それぞれ単独で、または、互いに関連付けて再生する再生部と、前記再生部に対するユーザ操作を受け付ける第１の操作部と、前記第１の操作部に、前記音声情報の再生または停止に関する前記ユーザ操作を受け付ける機能が設定されていない状態において、前記音声情報を再生または停止する前記ユーザ操作を受け付ける第２の操作部とを備える。
なお、好ましくは、前記第２の操作部は、前記音声情報を再生する前記ユーザ操作と、前記音声情報を停止する前記ユーザ操作との両方を受け付ける単一の操作部材を有しても良い。
【０００６】
また、好ましくは、前記再生部、予め互いに関連付けられた前記画像情報および前記音声情報を、互いに関連付けて再生している場合には、前記第２の操作部による前記ユーザ操作を無効としても良い。
また、好ましくは、前記第１の操作部は、複数の階層からなる予め定められたメニューにしたがって、前記ユーザ操作を受け付けるとともに、前記第１の操作部には、前記メニューに関する前記ユーザ操作を受け付ける機能が設定され、前記第２の操作部は、前記メニューおよび前記第１の操作部に設定されている機能にかかわらずに、前記音声情報を再生または停止する前記ユーザ操作を優先的に受け付けても良い。
【０００７】
本発明の別の再生装置は、音声情報および画像情報の少なくとも一方を再生するとともに、前記音声情報および前記画像情報の両方を再生する際には、前記音声情報および前記画像情報を、それぞれ単独で、または、互いに関連付けて再生する再生部と、前記再生部に対するユーザ操作を受け付ける第１の操作部と、前記再生装置を操作させる動作モードとして、前記第１の操作部に設定される機能が異なる動作モードを少なくとも２種類有し、前記動作モードに応じて前記再生部を制御する制御部と、前記第１の操作部に、前記音声情報の再生または停止に関する前記ユーザ操作を受け付ける機能が設定されていない状態において、前記動作モードを変更する前記ユーザ操作を受け付ける第２の操作部とを備え、前記制御部は、前記第２の操作部により前記ユーザ操作を受け付けると、前記音声情報を少なくとも再生または停止する前記ユーザ操作を受け付ける前記動作モードを選択する。
【０００８】
なお、好ましくは、前記制御部は、前記第２の操作部により前記ユーザ操作を受け付けた際の前記再生部による再生状態に応じて、前記再生装置を操作させる前記動作モードを選択しても良い。
また、好ましくは、前記制御部は、前記再生部が、予め互いに関連付けられた前記画像情報および前記音声情報を、互いに関連付けて再生している場合には、前記第２の操作部による前記ユーザ操作を無効としても良い。
【０００９】
また、好ましくは、前記第１の操作部は、複数の階層からなる予め定められたメニューにしたがって、前記ユーザ操作を受け付けるとともに、前記第１の操作部には、前記メニューに関する前記ユーザ操作を受け付ける機能が設定され、前記第２の操作部は、前記メニューおよび前記第１の操作部に設定されている機能にかかわらずに、前記動作モードを変更する前記ユーザ操作を優先的に受け付けても良い。
【発明の効果】
【００１０】
本発明の再生装置によれば、表示部に画像情報やメニュー画面を表示している最中に、その表示を中断せずに音声情報に関する操作を行うことができる。
【発明を実施するための最良の形態】
【００１１】
＜第１実施形態＞
以下、図面に基づいて本発明の第１実施形態について説明する。
図１は、再生装置１００の外観図である。再生装置１００は、前面に表示部１０１、十字ボタン１０２、ジャンプボタン１０３を備えるとともに、上面に電源ボタン１０４、出力部１０５を備える。表示部１０１は、ＬＣＤや有機ＥＬディスプレイなどの不図示の画像表示素子を備える。十字ボタン１０２は、上下左右４方向に操作可能であるとともに、中央に決定ボタンを有する。ジャンプボタン１０３の詳細は後述する。出力部１０５は、図１に示すように、ヘッドホン２００と接続する。なお、出力部１０５とヘッドホン２００とは、ケーブルにより接続されても良いし、無線で接続されても良い。また、再生装置１００は、後述する接続部１０７を有し、接続部１０７には不図示のヘッドマウントディスプレイなどがケーブルまたは無線で接続可能である。
【００１２】
図２は、再生装置１００の機能ブロック図である。
再生装置１００は、表示部１０１の表示を制御する表示制御部１０６、ケーブルなどを介してコンピュータやヘッドマウントディスプレイなどの外部機器と接続する接続部１０７、表示部１０１に表示する画像情報、出力部１０５や接続部１０７から出力する音声情報などを記憶する記憶部１０８の各部を備えるとともに、各部を制御する信号処理部１０９を備える。この信号処理部１０９は、ＣＰＵやＤＳＰからなり、制御部１１０と、記憶部１０８に記憶されたデジタルデータを再生する再生部１１１とを備える。また、再生装置１００は、十字ボタン１０２、ジャンプボタン１０３、電源ボタン１０４を含む操作部１２０を備える。
【００１３】
信号処理部１０９は、出力部１０５、表示制御部１０６、接続部１０７、記憶部１０８の各部と相互に接続される。また、表示制御部１０６の出力は表示部１０１に接続される。また、制御部１１０は、操作部１２０の状態を検知する。制御部１１０は、操作部１２０を介した指示にしたがって、再生部１１１の制御を行い、出力部１０５や接続部１０７を介した音声情報および画像情報の再生や、表示部１０１に対する画像情報の表示を行う。また、制御部１１０は、各部を制御するためのプログラムを予め記憶する。
【００１４】
なお、再生装置１００は、複数の階層からなる予め定められたメニューを有する。表示部１０１や接続部１０７に接続されたヘッドマウントディスプレイの表示部などには、メニューにしたがってメニュー画面が表示される。信号処理部１０９は、メニューが表示された状態で、十字ボタン１０２を介して行われるユーザ操作に基づいて、各部を制御する。
【００１５】
メニューについて図３および図４を用いて説明する。図３Ａは、メインメニューのメニュー画面である。メインメニューは、「画像情報」、「音声情報」、「各種設定」の大分類の何れかを選択するためのメニューである。このメニュー画面は、上部に各項目ａを含み、下部に十字ボタン１０２の操作に関する情報ｂを含む。ユーザは、十字ボタン１０２を操作して、枠ｃを移動して大分類の何れかを選択する。
【００１６】
例えば、図３Ａに示すように大分類として「画像情報」が選択されると、図３Ｂに示す画像情報のメニュー画面が表示される。画像情報のメニューは、「表示」、「編集」、「録画」の中分類の何れかを選択するためのメニューである。このメニュー画面は、上部に各項目ｄを含み、下部に十字ボタン１０２の操作に関する情報ｅを含む。ユーザは、十字ボタン１０２を操作して、枠ｆを移動して中分類の何れかを選択する。
【００１７】
例えば、図３Ｂに示すように中分類として「表示」が選択されると、図３Ｃに示す画像情報の選択メニュー画面が表示される。画像情報の選択メニューは、表示部１０１に表示する画像情報を選択するためのメニューである。このメニュー画面は、上部に各画像情報のサムネイルｇを含み、下部に十字ボタン１０２の操作に関する情報ｈを含む。ユーザは、十字ボタン１０２を操作して、枠ｉを移動して表示部１０１に表示する画像情報を選択する。そして、画像情報が選択されると、制御部１１０は再生部１１１を制御し、選択された画像情報を表示制御部１０６を介して表示部１０１に表示する。
【００１８】
なお、図３Ｂの状態において「編集」が選択された場合には、記憶部１０８に記憶された画像情報を編集するためのメニュー画面が表示される。また、図３Ｂの状態において「録画」が選択された場合には、記憶部１０８に画像情報を録画するためのメニュー画面が表示される。それぞれのメニュー画面は公知技術にならったものであるため説明を省略する。
【００１９】
また、図４Ａに示すように大分類として「音声情報」が選択されると、図４Ｂに示す音声情報のメニュー画面が表示される。音声情報のメニューは、「再生」、「編集」、「録音」の中分類の何れかを選択するためのメニューである。このメニュー画面は、上部に各項目ｊを含み、下部に十字ボタン１０２の操作に関する情報ｋを含む。ユーザは、十字ボタン１０２を操作して、枠ｍを移動して中分類の何れかを選択する。
【００２０】
例えば、図４Ｂに示すように中分類として「編集」が選択されると、図４Ｃに示す音声情報の編集メニュー画面が表示される。音声情報の編集メニューは、記憶部１０８に記憶された音声情報を編集するためのメニューである。このメニュー画面は、上部に音声情報の一覧ｎを含み、下部に十字ボタン１０２の操作に関する情報ｑを含む。ユーザは、十字ボタン１０２を操作して、枠ｒを移動して各種機能を選択し、音声情報を編集する。そして、制御部１１０は、編集結果を記憶部１０８に記憶する。
【００２１】
なお、図４Ｂの状態において「再生」が選択された場合には、音声情報を再生するためのメニュー画面が表示される。また、図４Ｂの状態において「録音」が選択された場合には、記憶部１０８に音声情報を録音するためのメニュー画面が表示される。また、図３Ａおよび図４Ａの状態において「各種設定」が選択された場合には、再生装置１００に関する設定を行うためのメニュー画面が表示される。それぞれのメニュー画面は公知技術にならったものであるため説明を省略する。
【００２２】
十字ボタン１０２は、上述した階層からなるメニューに応じた複数の動作モードを有する。制御部１１０は、メニューに応じて十字ボタン１０２に動作モードを設定するとともに、動作モードに応じて十字ボタン１０２の操作にしたがった処理を行う。そのため、十字ボタン１０２の各ボタンの操作に対応する処理は、上述したメニューによって異なる。
なお、上述した階層からなるメニューは一例であり本発明はこの例に限定されない。また、各メニュー画面についても同様である。
【００２３】
以上説明した構成の再生装置１００における制御部１１０の動作について、図５のフローチャートを用いて説明する。なお、図５のフローチャートで説明する動作は、割り込み動作であり、再生装置１００においてどのような動作が行われている場合でも、優先的に実行される。
ステップＳ１において、制御部１１０は、ジャンプボタン１０３が押圧されたか否かを判定する。制御部１１０は、ジャンプボタン１０３が押圧されたと判定すると、ステップＳ２に進む。
【００２４】
ステップＳ２において、制御部１１０は、再生部１１１が音声付き動画像を再生中であるか否かを判定する。音声付き動画像とは、動画像の画像情報と音声情報とが関連付けられたものである（例えば、映画など）。このような音声付き動画像の再生中には、新たに音声情報の再生を行う必要が無いため、制御部１１０は、再生部１１１が音声付き動画像を再生中であると判定すると、ジャンプボタン１０３の押圧を無効とし、ステップＳ１に戻る。一方、再生部１１１が音声付き動画像を再生中でないと判定すると、制御部１１０は、ステップＳ３に進む。
【００２５】
ステップＳ３において、制御部１１０は、再生部１１１が音声情報を再生中であるか否かを判定する。音声情報を再生中であるということは、音声付き動画像の音声ではなく、単独で音声情報を再生中の状態であるということである。制御部１１０は、再生部１１１が音声情報を再生中であると判定するとステップＳ４に進み、再生部１１１が音声情報を再生中でないと判定すると後述するステップＳ５に進む。
【００２６】
ステップＳ４において、制御部１１０は、再生部１１１を制御して音声情報を停止する。すなわち、制御部１１０は、ジャンプボタン１０３が押圧された時の動作モードにかかわらず、音声情報の再生中（音声付き動画像の再生中を除く）にジャンプボタン１０３が押圧されると、音声情報を停止する。そして、制御部１１０は、ステップＳ１に戻り、再びジャンプボタン１０３が押圧されるまで待機する。
【００２７】
ステップＳ５において、制御部１１０は、再生部１１１を制御して、記憶部１０８に存在する音声情報を再生する。すなわち、制御部１１０は、ジャンプボタン１０３が押圧された時の動作モードにかかわらず、音声情報の停止中（音声付き動画像の再生中を除く）にジャンプボタン１０３が押圧されると、音声情報を再生する。そして、制御部１１０は、ステップＳ１に戻り、再びジャンプボタン１０３が押圧されるまで待機する。
【００２８】
なお、制御部１１０は、音声情報を再生する際には、前回再生した音声情報を再生するように再生部１１１を制御する。また、それ以外にも、プレイリストなどの機能を備える場合には、前回再生したプレイリストを選択しても良い。何れの場合も、ユーザにとってなじみのある音楽が再生されることになり、ユーザの違和感を防ぐことができる。
また、ステップＳ２において、音声付き動画像を再生中でない場合とは、上述した階層からなるメニューの大分類において、「音声情報」および「各種設定」が選択された場合と、大分類において「画像情報」が選択され、かつ、中分類において「編集」および「録画」が選択された場合とが含まれる。また、大分類において「画像情報」が選択され、中分類において「表示」が選択された場合でも、表示する画像情報が音声付き動画像でない場合（音声無し動画像、静止画像）には、ステップＳ２において、音声付き動画像を再生中でないと判定される。
【００２９】
以上説明したように、第１実施形態によれば、音声情報や画像情報を再生する再生部と、再生部に対するユーザ操作を受け付ける第１の操作部と、第１の操作部が、音声情報を再生または停止するユーザ操作を受け付けない状態において、音声情報を再生または停止するユーザ操作を受け付ける第２の操作部とを備える。したがって、表示部に画像情報やメニュー画面を表示している最中に、その表示を中断せずに音声情報に関する操作を行うことができる。
【００３０】
また、第１実施形態によれば、第２の操作部は、音声情報を再生するユーザ操作と、音声情報を停止するユーザ操作との両方を受け付ける単一の操作部材を有する。したがって、再生用と停止用とのそれぞれの操作部材を備えること無く、音声情報に関する操作を行うことができる。
また、第１実施形態によれば、再生部が画像情報とその画像情報と関連付けられた音声情報とを再生している場合には、第２の操作部によるユーザ操作を無効とする。したがって、音声情報を再生する必要が無い状況における誤操作を回避することができる。
【００３１】
また、第１実施形態によれば、第１の操作部は、複数の階層からなる予め定められたメニューにしたがってユーザ操作を受け付け、第２の操作部は、メニューにかかわらず、音声情報を再生または停止するユーザ操作を受け付ける。したがって、どのような操作状態においても、簡便な操作で素早く音声情報を再生することができる。
なお、第１実施形態では、ジャンプボタン１０３は、音声情報を再生するユーザ操作と、音声情報を停止するユーザ操作との両方を受け付ける例を示したが、再生用と停止用とのそれぞれの操作部材を備える構成としても良い。
【００３２】
また、第１実施形態では、音声付き動画像を再生中のみジャンプボタン１０３の押圧を無効とする例を示したが、ユーザ操作などに応じて、特定の動作中にジャンプボタン１０３の押圧を無効とする構成としても良い。
＜第２実施形態＞
以下、図面に基づいて本発明の第２実施形態について説明する。
【００３３】
第２実施形態では、第１実施形態の再生装置１００と略同様の構成を備えた再生装置を例に挙げて説明する。以下では、第２実施形態の再生装置の図示を省略し、第１実施形態と同様の符号を用いて説明する。
第２実施形態の再生装置１００は、第１実施形態と同様に、複数の階層からなる予め定められたメニューを有する（図３および図４参照）。また、十字ボタン１０２は、第１実施形態と同様に、階層からなるメニューに応じた複数の動作モードを有し、制御部１１０は、メニューに応じて十字ボタン１０２に動作モードを設定するとともに、動作モードに応じて十字ボタン１０２の操作にしたがった処理を行う。
【００３４】
以上説明した構成の再生装置１００における制御部１１０の動作について、図６のフローチャートを用いて説明する。なお、図６のフローチャートで説明する動作は、割り込み動作であり、再生装置１００においてどのような動作が行われている場合でも、優先的に実行される。
ステップＳ１１において、制御部１１０は、図５のフローチャートのステップＳ１と同様に、ジャンプボタン１０３が押圧されたか否かを判定する。制御部１１０は、ジャンプボタン１０３が押圧されたと判定すると、ステップＳ１２に進む。
【００３５】
ステップＳ１２において、制御部１１０は、図５のフローチャートのステップＳ２と同様に、再生部１１１が音声付き動画像を再生中であるか否かを判定する。音声付き動画像の再生中には、新たに音声情報の再生を行う必要が無いため、制御部１１０は、再生部１１１が音声付き動画像を再生中であると判定すると、ジャンプボタン１０３の押圧を無効とし、ステップＳ１１に戻る。一方、再生部１１１が音声付き動画像を再生中でないと判定すると、制御部１１０は、ステップＳ１３に進む。
【００３６】
ステップＳ１３において、制御部１１０は、図５のフローチャートのステップＳ３と同様に、再生部１１１が音声情報を再生中であるか否かを判定する。制御部１１０は、再生部１１１が音声情報を再生中であると判定するとステップＳ１４に進み、再生部１１１が音声情報を再生中でないと判定すると後述するステップＳ１５に進む。
ステップＳ１４において、制御部１１０は、十字ボタン１０２に第１の動作モードを設定する。第１の動作モードとは、音声情報の停止、早送り、巻き戻しに特化した動作モードである。なお、ステップＳ１３の判定により、音声情報を再生中であるため、再生に関する動作は不要である。制御部１１０は、ジャンプボタン１０３が押圧された時の動作モードにかかわらず、再生部１１１における音声情報の再生中（音声付き動画像の再生中を除く）にジャンプボタン１０３が押圧されると、十字ボタン１０２に音声情報の停止、早送り、巻き戻しのための動作モードを設定する。
【００３７】
ステップＳ１５において、制御部１１０は、表示制御部１０６を介して、第１のメニューのメニュー画面を表示部１０１や接続部１０７に接続されたヘッドマウントディスプレイの表示部などに表示する。第１のメニューとは、第１の動作モードの操作に関する情報である。図７Ａに第１のメニューのメニュー画面の例を示す。図７Ａでは、静止画像を表示部１０１に表示中にジャンプボタン１０３が押圧された場合の例を示す。制御部１１０は、第１のメニューとして、十字ボタン１０２の操作方法を示す情報ｓと動作モードを音声情報の停止、早送り、巻き戻しのための動作モードに変更したことを示す情報ｔとを表示する。ユーザは、操作方法を示す情報ｓを目視することにより、音声情報を停止、早送り、巻き戻しするための操作を確認することができる。また、ユーザは、動作モードを変更したことを示す情報ｔを目視することにより、現在十字ボタン１０２にどのような動作モードが設定されているのかを確認することができる。
【００３８】
ステップＳ１６において、制御部１１０は、十字ボタン１０２に第２の動作モードを設定する。第２の動作モードとは、音声情報の再生、早送り、巻き戻しに特化した動作モードである。なお、ステップＳ１３の判定により、音声情報は停止中であるため、停止に関する動作は不要である。制御部１１０は、ジャンプボタン１０３が押圧された時の動作モードにかかわらず、音声情報の停止中（音声付き動画像の再生中を除く）にジャンプボタン１０３が押圧されると、十字ボタン１０２に音声情報の再生、早送り、巻き戻しのための動作モードを設定する。
【００３９】
ステップＳ１７において、制御部１１０は、表示制御部１０６を介して、第２のメニューのメニュー画面を表示部１０１や接続部１０７に接続されたヘッドマウントディスプレイの表示部などに表示する。第２のメニューとは、第２の動作モードの操作に関する情報である。図７Ｂに第２のメニューのメニュー画面の例を示す。図７Ｂでは、静止画像を表示部１０１に表示中にジャンプボタン１０３が押圧された場合の例を示す。制御部１１０は、第２のメニューとして、操作方法を示す情報ｕと動作モードを音声情報の再生、早送り、巻き戻しのための動作モードに変更したことを示す情報ｖとを表示する。ユーザは、操作方法を示す情報ｕを目視することにより、音声情報を再生、早送り、巻き戻しするための操作を確認することができる。また、ユーザは、動作モードを変更したことを示す情報ｖを目視することにより、現在十字ボタン１０２にどのような動作モードが設定されているのかを確認することができる。
【００４０】
なお、第２の動作モード設定時に、ユーザにより音声情報の再生指示が行われた場合には、第１実施形態と同様に、前回再生した音声情報を再生すると良い。また、音声情報に関して、プレイリストなどの機能を備える場合には、前回再生したプレイリストを選択すると良い。何れの場合も、ユーザにとってなじみのある音楽が再生されることになり、ユーザの違和感を防ぐことができる。
【００４１】
また、図７Ａおよび図７Ｂに示したメニュー画面は一例である。例えば、操作方法を示す情報を静止画像に重畳表示する構成としても良い。何れの場合も、ジャンプボタン１０３が押圧された際に表示部１０１や接続部１０７に接続されたヘッドマウントディスプレイの表示部などに表示されていた情報（画像情報、メニュー画面など）の表示を妨げないように表示するのが好ましい。また、ユーザが再生装置１００の使用に慣れている場合には、操作方法を示す情報の表示を行わない構成としても良い。また、図３および図４に示したメニュー画面を表示している最中にジャンプボタン１０３が押圧された場合には、メニュー画面に対する操作に関する情報（図３Ａのｂ、図３Ｂのｅ、図３Ｃのｈなど）の表示は行わない。
【００４２】
また、第１の動作モードおよび第２の動作モードは、通常の音声情報の再生時の動作モードに準じたものであるのが好ましい。例えば、通常の音声情報の再生時の動作モードにおいて、十字ボタン１０２の右方向のボタンが早送りのボタンである場合には、第１の動作モードおよび第２の動作モードにおいても同様であるのが好ましい。このような構成とすることにより、ユーザの違和感や誤操作を防ぐことができる。
【００４３】
ステップＳ１８において、制御部１１０は、所定時間を経過したか否かを判定する。所定時間は予め定められた時間である。制御部１１０は、所定時間を経過するまで待機し、制御部１１０は、所定時間を経過したと判定するとステップＳ１９に進む。
ステップＳ１９において、制御部１１０は、十字ボタン１０２に元の動作モードを設定する。元の動作モードとは、ジャンプボタン１０３が押圧された際に十字ボタン１０２に設定されていた動作モードである。すなわち、制御部１１０は、動作モードをステップＳ１４またはステップＳ１６において変更した後に、所定時間を経過すると、元の動作モードに戻す。
【００４４】
ステップＳ２０において、制御部１１０は、ステップＳ１５およびステップＳ１７で説明したメニュー表示を終了する。メニュー表示を終了することにより、ユーザは、十字ボタン１０２が元の動作モードに戻ったことを確認することができる。なお、表示部１０１に、元の動作モードに戻したことを示す情報を表示する構成としても良い。制御部１１０は、メニュー表示を終了すると、ステップＳ１１に戻り、再びジャンプボタン１０３が押圧されるまで待機する。
【００４５】
以上説明したように、第２実施形態によれば、音声情報や画像情報を再生する再生部と、再生部に対するユーザ操作を受け付ける第１の操作部と、第１の操作部に対する操作に対応して再生装置を操作させる動作モードを少なくとも２種類有し、動作モードに応じて再生部を制御する制御部と、第１の操作部が音声情報を再生または停止するユーザ操作を受け付けない状態において、動作モードを変更するユーザ操作を受け付ける第２の操作部とを備え、第２の操作部によりユーザ操作を受け付けると、音声情報を少なくとも再生または停止するユーザ操作を受け付ける動作モードを選択する。したがって、表示部に画像情報やメニュー画面を表示している最中に、その表示を中断せずに音声情報に関する操作を行うことができる。
【００４６】
また、第２実施形態によれば、第２の操作部によりユーザ操作を受け付けた際の再生部による再生状態に応じて、再生装置を操作させる動作モードを選択する。したがって、状況に応じた簡便な操作で音声情報に関する操作を行うことができる。
また、第２実施形態によれば、再生部が画像情報とその画像情報と関連付けられた音声情報とを再生している場合には、第２の操作部によるユーザ操作を無効とする。したがって、音声情報を再生する必要が無い状況における誤操作を回避することができる。
【００４７】
また、第２実施形態によれば、第１の操作部は、複数の階層からなる予め定められたメニューにしたがってユーザ操作を受け付け、第２の操作部は、メニューにかかわらず動作モードを変更するユーザ操作を受け付ける。したがって、どのような操作状態においても、簡便な操作で素早く音声情報に関する操作を行うことができる。
なお、第２実施形態では、音声付き動画像を再生中のみジャンプボタン１０３の押圧を無効とする例を示したが、ユーザ操作などに応じて、特定の動作中にジャンプボタン１０３の押圧を無効とする構成としても良い。
【００４８】
また、上記各実施形態において、ジャンプボタン１０３が押圧された場合の制御部１１０の動作をカスタマイズ可能な構成としても良い。
また、上記各実施形態の応用例として、ジャンプボタン１０３の押圧により、第１実施形態における音声情報再生または停止の代わりに、特定の画像情報の表示または表示停止を行う構成としても良い。また、第２実施形態における音声情報の再生または停止のための動作モードの設定の代わりに、特定の画像情報の表示または表示停止のための動作モードの設定を行う構成としても良い。例えば、特定の画像情報としては、読書用のビューワーなどが考えられる。なお、表示時には、前回の表示の続きを表示する構成とすれば良い。
【図面の簡単な説明】
【００４９】
【図１】第１実施形態の再生装置１００の外観を示す図である。
【図２】第１実施形態の再生装置１００の機能ブロック図である。
【図３】メニュー画面の例を示す図である。
【図４】メニュー画面の例を示す図（続き）である。
【図５】第１実施形態の再生装置１００の動作を示すフローチャートである。
【図６】第２実施形態の再生装置１００の動作を示すフローチャートである。
【図７】メニュー画面の例を示す図である。
【符号の説明】
【００５０】
１００…再生装置，１０１…表示部，１０２…十字ボタン，１０３…ジャンプボタン，１０５…出力部，１０６…表示制御部，１０８…記憶部，１０９…信号処理部，１１０…制御部，１１１…再生部，１２０…操作部
【図１】
0004577251.tif 000002
【図２】
0004577251.tif 000003
【図３】
0004577251.tif 000004
【図４】
0004577251.tif 000005
【図５】
0004577251.tif 000006
【図６】
0004577251.tif 000007
【図７】
0004577251.tif 000008